【手続補正書】
【提出日】平成16年10月29日(2004.10.29)
【手続補正１】
【補正対象書類名】明細書
【補正対象項目名】発明の名称
【補正方法】変更
【補正の内容】
【発明の名称】文書処理システム、文書管理用サーバおよび文書操作用クライアント
【手続補正２】
【補正対象書類名】明細書
【補正対象項目名】特許請求の範囲
【補正方法】変更
【補正の内容】
【特許請求の範囲】
【請求項１】
文書管理用のサーバと文書操作用のクライアントからなる文書処理システムであって、前記サーバは、文書内容及び関連情報を管理する文書管理手段と、文書のプロパティ及び内容情報を所定のフォーマットの一つのストリームである直列化文書に変換する直列化文書生成手段と、前記クライアントからの文書取得要求を受付け、対応する前記直列化文書を該クライアントに返すサーバ側インタフェース手段とを有し、前記クライアントは、前記サーバへの文書取得要求を発行し、該文書取得要求の応答を受け取るクライアント側インタフェース手段と、前記所定のフォーマットの直列化文書からプロパティ及び内容情報を取出す直列化文書分解手段と、ユーザの指示に従って文書のプロパティまたは文書の内容を表示する文書表示手段とを有することを特徴とする文書処理システム。
【請求項２】
請求項１に記載の文書処理システムにおいて、前記所定のフォーマットは、文書のプロパティのリストと文書の内容情報のリストとからなり、前記文書の内容情報は、別の文書、内容データそのもの、または内容データへのアクセス方法のいずれかを示す情報であることを特徴とする文書処理システム。
【請求項３】
請求項２に記載の文書処理システムにおいて、前記クライアントは、未知の文書プロパティを無視し、理解できる文書プロパティのみを用いて画面表示を行なうことを特徴とする文書処理システム。
【請求項４】
文書操作用のクライアントが接続可能な文書管理用サーバであって、該文書管理用サーバは、文書内容及び関連情報を管理する文書管理手段と、文書のプロパティ及び内容情報を所定のフォーマットの一つのストリームである直列化文書に変換する直列化文書生成手段と、前記クライアントからの文書取得要求を受付け、対応する前記直列化文書を該クライアントに返すインターフェース手段とを有することを特徴とする文書管理用サーバ。
【請求項５】
請求項４に記載の文書管理用サーバにおいて、前記所定のフォーマットは、文書のプロパティリストと文書の内容情報のリストからなり、前記文書の内容情報は、別の文書、内容データそのもの、または内容データへのアクセス方法のいずれかを示す情報であることを特徴とする文書管理用サーバ。
【請求項６】
文書管理用サーバに接続可能な文書操作用クライアントにおいて、該文書操作用クライアントは、前記文書管理用サーバへの文書取得要求を発行し、該文書取得要求の応答を受け取るインターフェース手段と、前記文書管理用サーバからの所定のフォーマットの直列化文書からプロパティ及び内容情報を取り出す直列化文書分解手段と、ユーザの指示に従って文書のプロパティまたは文書の内容を表示する文書表示手段とを有することを特徴とする文書操作用クライアント。
【請求項７】
請求項６に記載の文書操作用クライアントにおいて、前記所定のフォーマットは、文書のプロパティリストと文書の内容情報のリストからなり、前記文書の内容情報は、別の文書、内容データそのもの、または内容データへのアクセス方法のいずれかを示す情報であることを特徴とする文書操作用クライアント。
【請求項８】
請求項６または７に記載の文書操作用クライアントにおいて、該文書操作用クライアントは、未知の文書プロパティを無視し、理解できる文書プロパティのみを用いて画面表示を行なうことを特徴とする文書操作用クライアント。
【手続補正３】
【補正対象書類名】明細書
【補正対象項目名】０００１
【補正方法】変更
【補正の内容】
【０００１】
【発明の属する技術分野】
本発明は、文書処理システム、文書管理用サーバおよび文書操作用クライアント、より詳細には、文書の内容及びプロパティを管理する文書管理サーバと、文書の内容またはプロパティを表示して操作を行なうための文書操作クライアントとが文書を扱う文書処理方法に関し、特に、様々な文書管理サーバが混在する環境で、クライアントがそれぞれのサーバの内容を統一的に扱う際に有用な処理システムであって、文書画像管理システムやネットワーク化された画像機器の管理システムなどへの応用が可能な文書処理システムに関する。
【手続補正４】
【補正対象書類名】明細書
【補正対象項目名】００１０
【補正方法】変更
【補正の内容】
【００１０】
本発明は上述のごとき実情に鑑みてなされたもので、様々な文書の内部構造を持つ異なる種類の文書管理サーバでも、一つの文書操作クライアントから操作できるようにした文書管理システムと、これら文書管理サーバ及び文書操作クライアントとを提供することを目的とする。
【手続補正５】
【補正対象書類名】明細書
【補正対象項目名】００１１
【補正方法】変更
【補正の内容】
【００１１】
【課題を解決するための手段】
請求項１の発明は、文書管理用のサーバと文書操作用のクライアントからなる文書処理システムであって、前記サーバは、文書内容及び関連情報を管理する文書管理手段と、文書のプロパティ及び内容情報を所定のフォーマットの一つのストリームである直列化文書に変換する直列化文書生成手段と、前記クライアントからの文書取得要求を受付け、対応する前記直列化文書を該クライアントに返すサーバ側インタフェース手段とを有し、前記クライアントは、前記サーバへの文書取得要求を発行し、該文書取得要求の応答を受け取るクライアント側インタフェース手段と、前記所定のフォーマットの直列化文書からプロパティ及び内容情報を取出す直列化文書分解手段と、ユーザの指示に従って文書のプロパティまたは文書の内容を表示する文書表示手段とを有することを特徴としたものである。
【手続補正６】
【補正対象書類名】明細書
【補正対象項目名】００１３
【補正方法】変更
【補正の内容】
【００１３】
請求項３の発明は、請求項２の発明において、前記クライアントは、未知の文書プロパティを無視し、理解できる文書プロパティのみを用いて画面表示を行なうことを特徴としたものである。
請求項４の発明は、文書操作用のクライアントが接続可能な文書管理用サーバであって、該文書管理用サーバは、文書内容及び関連情報を管理する文書管理手段と、文書のプロパティ及び内容情報を所定のフォーマットの一つのストリームである直列化文書に変換する直列化文書生成手段と、前記クライアントからの文書取得要求を受付け、対応する前記直列化文書を該クライアントに返すインターフェース手段とを有することを特徴としたものである。
請求項５の発明は、請求項４の発明において、前記所定のフォーマットは、文書のプロパティリストと文書の内容情報のリストからなり、前記文書の内容情報は、別の文書、内容データそのもの、または内容データへのアクセス方法のいずれかを示す情報であることを特徴としたものである。
請求項６の発明は、文書管理用サーバに接続可能な文書操作用クライアントにおいて、該文書操作用クライアントは、前記文書管理用サーバへの文書取得要求を発行し、該文書取得要求の応答を受け取るインターフェース手段と、前記文書管理用サーバからの所定のフォーマットの直列化文書からプロパティ及び内容情報を取り出す直列化文書分解手段と、ユーザの指示に従って文書のプロパティまたは文書の内容を表示する文書表示手段とを有することを特徴としたものである。
請求項７の発明は、請求項６の発明において、前記所定のフォーマットは、文書のプロパティリストと文書の内容情報のリストからなり、前記文書の内容情報は、別の文書、内容データそのもの、または内容データへのアクセス方法のいずれかを示す情報であることを特徴としたものである。
請求項８の発明は、請求項６または７の発明において、該文書操作用クライアントは、未知の文書プロパティを無視し、理解できる文書プロパティのみを用いて画面表示を行なうことを特徴としたものである。
【手続補正７】
【補正対象書類名】明細書
【補正対象項目名】００３６
【補正方法】変更
【補正の内容】
【００３６】
【発明の効果】
請求項１，４，６に対応する効果：サーバ・クライアント間での文書情報の送受信は、所定のフォーマットに従ってなされるので、そのフォーマットによる文書送信をサーバがサポートしていれば、どのようなサーバであってもクライアントで文書操作を行なうことができる。
【手続補正８】
【補正対象書類名】明細書
【補正対象項目名】００３７
【補正方法】変更
【補正の内容】
【００３７】
請求項２，５，７に対応する効果：単純なモデルに従ったフォーマットを使用するので、幅広い種類のサーバがサポートでき、一つのクライアントで多くのサーバの文書操作を行うことができる。また、プロパティの種類を増やすことが可能なので、サーバによる拡張が可能になる。
【手続補正９】
【補正対象書類名】明細書
【補正対象項目名】００３８
【補正方法】変更
【補正の内容】
【００３８】
請求項３，８に対応する効果：特定のサーバが固有のプロパティを自由に付加できるようになるので、そのサーバ用に構成されたクライアントなら、より詳しい表示ができるようになる。その場合でも、汎用のクライアントで最小限の表示・操作は可能である。